【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
特定表示を表示する特定演出と、前記特定表示に関する示唆表示を表示し、該示唆表示の表示態様を段階的に変化させて前記特定演出の実行を示唆する示唆演出と、前記特定演出及び前記示唆演出と異なる演出であって、前記特定表示及び前記示唆表示と異なる特殊表示を表示する所定演出を実行可能な演出実行手段と、
を備え、
演出モードとして、前記特定演出が実行される前に前記示唆演出が実行される第１演出モードと、前記特定演出が実行される前に前記所定演出が実行される第２演出モードとを少なくとも有し、
前記演出実行手段が前記特定演出を実行可能なタイミングの数は、前記第１演出モードと前記第２演出モードとで異なり、
前記示唆表示は、前記第１演出モードでは表示されるが前記第２演出モードでは表示されず、
前記第１演出モードにおいて、前記示唆表示の表示態様が特定態様となったときに前記特定演出を実行可能であり、
前記演出実行手段は、前記示唆演出を実行しない場合よりも前記示唆演出を実行する場合の方が高い割合にて前記特別演出を実行可能である、
ことを特徴とする遊技機。
【請求項２】
遊技を行うことが可能な遊技機であって、
特定表示を表示する特定演出と、前記特定表示に関する示唆表示を表示し、該示唆表示の表示態様を段階的に変化させて前記特定演出の実行を示唆する示唆演出と、前記特定演出及び前記示唆演出と異なる演出であって、前記特定表示及び前記示唆表示と異なる特殊表示を表示する所定演出を実行可能な演出実行手段と、
を備え、
演出モードとして、前記特定演出が実行される前に前記示唆演出が実行される第１演出モードと、前記特定演出が実行される前に前記所定演出が実行される第２演出モードとを少なくとも有し、
前記演出実行手段は、前記第１演出モードと前記第２演出モードにおいて共通のタイミングにて前記特定演出を実行可能であり、
前記示唆表示は、前記第１演出モードでは表示されるが前記第２演出モードでは表示されず、
前記第１演出モードにおいて、前記示唆表示の表示態様が特定態様となったときに前記特定演出を実行可能であり、
前記演出実行手段は、前記示唆演出を実行しない場合よりも前記示唆演出を実行する場合の方が高い割合にて前記特別演出を実行可能である、
ことを特徴とする遊技機。
【手続補正２】
【補正対象書類名】明細書
【補正対象項目名】０００６
【補正方法】変更
【補正の内容】
【０００６】
（Ａ）遊技を行うことが可能な遊技機であって、
特定表示を表示する特定演出と、前記特定表示に関する示唆表示を表示し、該示唆表示の表示態様を段階的に変化させて前記特定演出の実行を示唆する示唆演出と、前記特定演出及び前記示唆演出と異なる演出であって、前記特定表示及び前記示唆表示と異なる特殊表示を表示する所定演出を実行可能な演出実行手段と、
を備え、
演出モードとして、前記特定演出が実行される前に前記示唆演出が実行される第１演出モードと、前記特定演出が実行される前に前記所定演出が実行される第２演出モードとを少なくとも有し、
前記演出実行手段が前記特定演出を実行可能なタイミングの数は、前記第１演出モードと前記第２演出モードとで異なり、
前記示唆表示は、前記第１演出モードでは表示されるが前記第２演出モードでは表示されず、
前記第１演出モードにおいて、前記示唆表示の表示態様が特定態様となったときに前記特定演出を実行可能であり、
前記演出実行手段は、前記示唆演出を実行しない場合よりも前記示唆演出を実行する場合の方が高い割合にて前記特別演出を実行可能である、
ことを特徴とする。
前記課題を解決するために、本発明の手段１の遊技機は、
遊技を行うことが可能な遊技機（例えば、パチンコ遊技機１）であって、
特定演出（例えば、レベルＭＡＸ演出）と、該特定演出の実行を示唆する示唆演出（例えば、レベルアップ予告）と、前記特定演出及び前記示唆演出とは異なる所定演出（例えば、セリフ予告）を実行可能な演出実行手段（例えば、演出制御用ＣＰＵ１２０）と、
を備え、
演出モードとして、前記特定演出が実行される前に前記示唆演出が実行される第１演出モード（例えば、演出モード１）と、前記特定演出が実行される前に前記所定演出が実行される第２演出モード（例えば、演出モード２）とを少なくとも有し、
前記演出実行手段が前記特定演出を実行可能なタイミングの数は、前記第１演出モードと前記第２演出モードとで異なる（例えば、演出制御用ＣＰＵ１２０は、演出モード１である場合には、レベルＭＡＸ演出（特定演出）の実行タイミングがノーマルリーチＡからスーパーリーチＡ，Ｂへ移行するタイミングｔａ５であるスーパーリーチＤと、レベルＭＡＸ演出（特定演出）の実行タイミングがスーパーリーチＡ，ＢからスーパーリーチＣへ移行するタイミングｔａ８であるスーパーリーチＥと、のいずれかを選択可能である一方で、演出モード２である場合には、レベルＭＡＸ演出（特定演出）の実行タイミングがスーパーリーチＡ，ＢからスーパーリーチＣへ移行するタイミングｔａ８であるスーパーリーチＦ，Ｇのいずれかを選択可能である。図９−１４参照）
ことを特徴としている。
この特徴によれば、演出モードに応じて特定演出を実行可能なタイミングの数が異なるため、演出モードに応じて特定演出を好適に実施することができ、特定演出による遊技興趣を向上できる。
【手続補正３】
【補正対象書類名】明細書
【補正対象項目名】０００７
【補正方法】変更
【補正の内容】
【０００７】
（Ｂ）遊技を行うことが可能な遊技機であって、
特定表示を表示する特定演出と、前記特定表示に関する示唆表示を表示し、該示唆表示の表示態様を段階的に変化させて前記特定演出の実行を示唆する示唆演出と、前記特定演出及び前記示唆演出と異なる演出であって、前記特定表示及び前記示唆表示と異なる特殊表示を表示する所定演出を実行可能な演出実行手段と、
を備え、
モードとして、前記特定演出が実行される前に前記示唆演出が実行される第１演出モードと、前記特定演出が実行される前に前記所定演出が実行される第２演出モードとを少なくとも有し、
前記演出実行手段は、前記第１演出モードと前記第２演出モードにおいて共通のタイミングにて前記特定演出を実行可能であり、
前記示唆表示は、前記第１演出モードでは表示されるが前記第２演出モードでは表示されず、
前記第１演出モードにおいて、前記示唆表示の表示態様が特定態様となったときに前記特定演出を実行可能であり、
前記演出実行手段は、前記示唆演出を実行しない場合よりも前記示唆演出を実行する場合の方が高い割合にて前記特別演出を実行可能である、
ことを特徴とする。
本発明の手段２の遊技機は、
遊技を行うことが可能な遊技機（例えば、パチンコ遊技機１）であって、
特定演出（例えば、レベルＭＡＸ演出）と、該特定演出の実行を示唆する示唆演出（例えば、レベルアップ予告）と、前記特定演出及び前記示唆演出とは異なる所定演出（例えば、セリフ予告）を実行可能な演出実行手段（例えば、演出制御用ＣＰＵ１２０）と、
を備え、
演出モードとして、前記特定演出が実行される前に前記示唆演出が実行される第１演出モード（例えば、演出モード１）と、前記特定演出が実行される前に前記所定演出が実行される第２演出モード（例えば、演出モード２）とを少なくとも有し、
前記演出実行手段は、前記第１演出モードと前記第２演出モードにおいて共通のタイミングにて前記特定演出を実行可能である（例えば、演出モード１に対応するスーパーリーチＤ，Ｅと、演出モード２に対応するスーパーリーチＦ，Ｇとで、レベルＭＡＸ演出（特定演出）を実行する前に実行する演出が異なる（レベルアップ予告とセリフ予告）が、レベルＭＡＸ演出（特定演出）を実行するタイミングは、演出モード１と演出モード２とで共通なスーパーリーチＣへ発展するタイミングｔａ８とされている。図９−１４参照）
ことを特徴としている。
この特徴によれば、演出モードに関わらず、特定演出を共通のタイミングにて実行可能であるため、特定演出を好適に実施することができ、特定演出による遊技興趣を向上できる。